(57)【要約】【課題】本発明は、ユーザが希望する構図を指示することにより、この構図を撮影するための撮影情報を表示するデジタルカメラを提供する。【解決手段】撮像光学系からの光束を結像して画像信号に変換し、これを画像データとして出力する撮像部と、前記画像データを表示する表示部と、前記撮像部によって出力された画像データを取得する情報取得部と、ユーザからの構図の指示を受け付ける指示受付部と、撮影可能な構図に関する情報を指示する指示情報部と、を備え、前記指示情報部は、前記指示受付部に構図の指示があったときに、前記取得された画像データに基づいて、前記指示された構図に対応する画像データが前記撮像光学系によって撮影可能であるかを示す情報を前記表示部に表示する。【選択図】図１
2010268031.tif 000002
【特許請求の範囲】
【請求項１】
撮像光学系からの光束を結像して画像信号に変換し、これを画像データとして出力する撮像部と、
前記画像データを表示する表示部と、
前記撮像部によって出力された画像データを取得する情報取得部と、
ユーザからの構図の指示を受け付ける指示受付部と、
撮影可能な構図に関する情報を指示する指示情報部と、
を備え、
前記指示情報部は、前記指示受付部に構図の指示があったときに、前記取得された画像データに基づいて、前記指示された構図に対応する画像データが前記撮像光学系によって撮影可能であるかを示す情報を前記表示部に表示することを特徴とするデジタルカメラ。
【請求項２】
前記指示情報部は、前記取得した画像データと、前記撮像光学系によって撮影可能な画角を示す情報とを、前記表示部に表示することを特徴とする請求項１に記載のデジタルカメラ。
【請求項３】
前記指示情報部は、前記指示された構図に対応する画像データを撮影するために必要な前記撮像光学系に関する情報を、前記表示部に表示することを特徴とする請求項１に記載のデジタルカメラ。
【請求項４】
前記撮像光学系が交換可能に構成されており、
前記指示情報部は、前記指示された構図に対応する画像データが、前記交換可能な撮像光学系によって撮影可能であるかを示す情報を前記表示部に表示することを特徴とする請求項１に記載のデジタルカメラ。
【請求項５】
前記撮像光学系に関する情報を入力する入力部を備え、
前記指示情報部は、前記入力された情報に基づいて、前記指示された構図に対応する画像データが、前記入力された撮像光学系の少なくとも一つによって撮影可能であるかを示す情報を、前記表示部に表示することを特徴とする請求項４に記載のデジタルカメラ。
【発明の詳細な説明】
【技術分野】
【０００１】
本発明は、ユーザが希望する構図を指示することにより、この構図を撮影するための撮影情報を表示するデジタルカメラに関するものである。
【背景技術】
【０００２】
ユーザが希望する構図で撮影するために、構図を自動的に設定することができるデジタルカメラが知られている。
【０００３】
このようなデジタルカメラとして、予めガイド情報を格納しておき、撮影モード時に、被写体に応じたガイド情報を表示することで、ユーザは撮影時にこの表示画像を参照しつつフレーミングを行い、撮影の失敗を低減できるようにしたもの（特許文献１参照。）が開示されている。
【０００４】
また、ユーザが、撮像すべき所定の被写体のフレーム内の位置及び大きさを表す目標構図データを取得し、撮像待機中に呼び撮影して得られた予備撮像画像上でその所定の被写体を検出し、検出された被写体の位置及び大きさと目標構図データが表す同被写体の位置及び大きさとを比較してその差異を算出し、その差異が減少するように、撮像装置におけるズーム倍率、撮像する向き、及び上記所定の被写体の位置のうち少なくとも1つについて案内する撮像装置（特許文献２参照。）も開示されている。
【先行技術文献】
【特許文献】
【０００５】
【特許文献１】特開２００２−２８１３５６号公報
【特許文献２】特開２００７−２５９０３５号公報
【発明の概要】
【発明が解決しようとする課題】
【０００６】
前述のような従来のデジタルカメラでは、デジタルカメラが示す撮影シーン別に基づいて、撮影手法に関する情報を提示しているものであり、ユーザが希望する構図をデジタルカメラに指示する手段を持っていない。
【０００７】
本発明はこのような課題に鑑みてなされたものであり、ユーザが希望する構図をデジタルカメラに指示することによって、目標とする被写体の撮影が、ユーザが希望する構図で撮影できるかどうかを確認できるデジタルカメラを提供する。
【課題を解決するための手段】
【０００８】
本発明の一実施態様によると、撮像光学系からの光束を結像して画像信号に変換し、これを画像データとして出力する撮像部と、前記画像データを表示する表示部と、前記撮像部によって出力された画像データを取得する情報取得部と、ユーザからの構図の指示を受け付ける指示受付部と、撮影可能な構図に関する情報を指示する指示情報部と、を備え、前記指示情報部は、前記指示受付部に構図の指示があったときに、前記取得された画像データに基づいて、前記指示された構図に対応する画像データが前記撮像光学系によって撮影可能であるかを示す情報を前記表示部に表示することを特徴とする。
【０００９】
本発明の一実施態様では、このように構成することによって、ユーザが希望する構図をデジタルカメラに指示することにより、この構図が現在の撮像光学系によって撮影可能であるか否かを確認することができる。
【発明の効果】
【００１０】
本発明によると、ユーザが希望する構図をデジタルカメラ１に指示することによって、この希望する構図を撮影できるかどうかを示す情報を表示することができ、ユーザは、ズーム倍率を変更したり、交換レンズを変更することなく、希望する構図が撮影可能であるかを確認することができる。
【図面の簡単な説明】
【００１１】
【図１】本発明の第１の実施形態のデジタルカメラの機能ブロック図である。
【図２】本発明の第１の実施形態のデジタルカメラの撮影時のフローチャートである。
【図３】本発明の第１の実施形態のデジタルカメラの撮影時のより詳細なフローチャートである。
【図４】本発明の第１の実施形態のユーザが希望する構図の指示の説明図である。
【図５】本発明の第１の実施形態のユーザが希望する構図が撮影可能であるか否かの判断の説明図である。
【図６】本発明の第１の実施形態の撮影条件の一例の説明図である。
【図７】本発明の第２の実施形態の操作部のブロック図である。
【図８】本発明の第２の実施形態の撮影条件の一例の説明図である。
【発明を実施するための形態】
【００１２】
以下に、本発明の実施形態を説明する。
【００１３】
（第１の実施形態）
図１は、本発明の第１の態実施形態のデジタルカメラ１の機能ブロック図である。
【００１４】
デジタルカメラ１は、撮像部２と、制御部３と、表示部４と、操作部５と、記憶部６と、画像処理部７と、によって構成される。
【００１５】
撮像部２は、被写体像を結像し、この像を光電変換によって電子データに変換することにより、被写体像を画像データとして撮影する。
【００１６】
表示部４は、撮影された画像データやデジタルカメラ１の動作に関わる情報を表示する。
【００１７】
操作部５は、ユーザからの操作を受け付ける。
【００１８】
記憶部６は、撮影された画像データやデジタルカメラ１の動作に関わるプログラム等を記憶する。
【００１９】
画像処理部７は、撮影された画像データや表示する情報を合成して、表示部４に表示する。
【００２０】
制御部３は、これら撮像部２と、表示部４と、操作部５と、記憶部６と、画像処理部７とを制御する。
【００２１】
撮像部２は、撮影レンズ２１１、ズーム機構２１２、ＡＦ機構２１３、ズームレンズ２１４を備える撮像光学系２１と、撮像素子等からなる信号変換部２２と、信号処理部２３と、を備える。
【００２２】
なお、本実施形態のデジタルカメラ１は、この撮像光学系２１が取り外し可能に構成されており、交換可能な交換レンズ２１として構成されている。
【００２３】
撮影レンズ２１１により結像された被写体像は、信号変換部２２において光電変換によって画像信号に変換される。変換された画像信号は信号処理部２３に送られる。信号処理部は、この画像信号から輝度、色差信号等の信号成分等を得て、これを画像データとして記憶部６１に送る。
【００２４】
ズーム機構２１２は、制御部３の倍率変更部３１によって制御される。この制御により、ズーム機構２１２はズームレンズ２１４を移動させて画角を変更する。これにより画角が変更されることにより、撮影可能な構図が変更される。
【００２５】
ＡＦ機構２１３は、制御部３のＡＦ変更部３２により制御される。この制御により、ＡＦ機構２１３は撮影レンズ２１１を移動させて焦点を変更する。これにより信号変換部２２で被写体像が結像するＡＦ（オートフォーカス）を実行する。
【００２６】
制御部３は、倍率変更部３１と、ＡＦ変更部３２と、情報取得部３３と、移動検出部３４とを備える。
【００２７】
倍率変更部３１は、操作部５のズーム操作部５１での、ユーザからのＷｉｄｅ側（広角側）やＴｅｌｅ側（望遠側）への操作に基づいて、撮像部２のズーム機構２１２を制御する。この制御によって、撮像光学系２１のズームレンズ２１４が移動されて、構図がＷｉｄｅ側やＴｅｌｅ側にズーム倍率を変更される。
【００２８】
情報取得部３３は、操作部５の撮影操作部５２での、ユーザからの指示に基づいて、信号処理部２３から目標とする被写体の画像データを取得する。取得された画像データは、記憶部６１に一時保存される。
【００２９】
移動検出部３４は、例えば加速度センサ等により構成され、デジタルカメラ１の撮影方向が移動されたときに、この移動を検出する。
【００３０】
表示部４は、光学ファインダ４１と、画像を表示するＬＣＤ４２とを備える。
【００３１】
光学ファインダ４１は、例えばミラー、ペンタプリズム又はリレー光学系等により構成され、撮像光学系２１又は他のファインダ光学系を通過した被写体像を、ユーザに視認可能に表示する。
【００３２】
ＬＣＤ（液晶ディスプレイ）４２は、撮像部２の信号変換部２２によって変換された画像データ、記憶部６の記憶部６１に記憶されている画像データ、又は、画像処理部７の画像合成部７１により合成された画像データ等を、ユーザに視認可能に表示する。
【００３３】
操作部５はズーム操作部５１と、撮影操作部５２と、指示受付部５３とを備える。
【００３４】
ズーム操作部５１は、ユーザからのＷｉｄｅ側（広角側）やＴｅｌｅ側（望遠側）への操作を受け付けて、この操作を倍率変更部３１に指示する。
【００３５】
撮影操作部５２は、ユーザからの撮影操作、又は、希望する構図の指示を受け付けて、この操作を情報取得部３３に指示する。
【００３６】
指示受付部５３は、ユーザによる希望する構図の指示を受け付ける。このユーザによる希望する構図の指示は、図４で後述する。
【００３７】
記憶部６は記憶部６１と、保存部６２とを備える。
【００３８】
記憶部６１は、制御部３又は画像処理部７の作業用メモリとして用いられ、撮影画像や再生画像、情報取得部から得られた画像、合成された画像等を一時的に記憶する。
【００３９】
保存部６２は、撮影された画像データを保存する。なお、保存部６２は、メモリカード等の着脱可能なメモリによって構成されていてもよい。
【００４０】
画像処理部７は画像合成部７１と、指示情報部７２とを備える。
【００４１】
画像合成部７１は、指示情報部７２が作成する指示情報と画像データとを重ね合わせて、ＬＣＤ４２等に表示する。
【００４２】
指示情報部７２は、ユーザに撮影条件等を指示する指示情報を作成する。この指示情報は、画像データとともにＬＣＤ４２に表示される。なお、指示情報は数値等の情報でもよい。
【００４３】
このように構成された本発明の第１の実施形態について、次に動作を説明する。
【００４４】
図２は、本発明の第１の実施形態の撮影時の処理のフローチャートである。
【００４５】
ユーザは、デジタルカメラ１の表示部４（光学ファインダ４１又はＬＣＤ４２）により、目的とする被写体を参照している。ここで、ユーザが、デジタルカメラ１を操作することにより、被写体を撮影する際の希望する構図をデジタルカメラ１に指示することによって、本フローチャートが実行される。
【００４６】
まず、ユーザが、指示受付部５３を操作して、希望する構図をデジタルカメラ１に指示する（Ｓ２０１）。
【００４７】
例えば、ユーザが、指示受付部５３を操作して、希望する構図の上端側を指示した後、デジタルカメラ１の撮影方向を変更して、希望する構図の下端側を指示する。
【００４８】
なお、このユーザによる指示は、この方法に限定されず、例えばユーザが数値（距離や被写体の大きさ）を直接入力してもよい。
【００４９】
この指示を受けて、情報取得部３３は、信号処理部２３から被写体の画像データを、ＡＦ変更部３２から被写体との距離を、移動検出部３４からデジタルカメラ１の撮影方向の移動に関する情報を、それぞれ取得する。これら取得した情報を指示情報部７２に送る。
【００５０】
指示情報部７２は、これらの情報から、ユーザが希望する構図に対して、現在装着されている交換レンズ２１によって撮影可能な範囲を示す情報を作成する。そして、この情報をＬＣＤ４２に表示する（Ｓ２０２）。
【００５１】
次に、指示情報部７２は、ユーザが希望する構図を撮影するための条件を、ＬＣＤ４２に表示する（Ｓ２０３）。
【００５２】
このような処理によって、ユーザが希望する構図を指示することによって、この希望する構図を撮影するために必要な条件を、デジタルカメラ１のＬＣＤ４２に表示することができる。
【００５３】
図３は、図２の処理のより詳細なフローチャートである。
【００５４】
まず、情報取得部３３は、前述のステップＳ２０１において、ユーザによる指示受付部５３への指示により、ユーザが希望する構図の上端側と下端側との情報を取得する。また、ＡＦ変更部３２から被写体との距離を取得する。また、移動検出部３４からデジタルカメラ１の撮影方向の移動に関する情報を取得する。そして、これらの情報から、情報取得部３３は、三角測量の手法により被写体の大きさを求める（Ｓ２１１）。
【００５５】
次に、指示情報部７２は、現在デジタルカメラ１に装着されている交換レンズ２１の画角により撮影可能な構図を表示する（Ｓ２１２）。
【００５６】
次に、指示情報部７２は、ユーザが希望する構図が、現在装着されている交換レンズ２１のズーム可能な画角によって撮影可能であるか否かを判定する（Ｓ２１３）。ユーザが希望する構図、すなわち、求めた被写体の大きさが、現在装着されている交換レンズ２１の画角によって撮影可能であると判定した場合は、本フローチャートによる処理を終了する。その後、ユーザは希望する画角で撮影を行う。
【００５７】
一方、指示された構図が、現在装着されている交換レンズによっては撮影可能でないと判定した場合は、ステップＳ２１４に移行する。
【００５８】
撮影可能でない場合とは、例えば、現在装着されている交換レンズのＷｉｄｅ端の画角では、求めた被写体を全て撮影することができない場合等である。
【００５９】
この場合は、ステップＳ２１４において、指示情報部７２は、ユーザが希望する構図を撮影するための撮影条件を作成し、これをＬＣＤ４２に表示する（Ｓ２１４）。
【００６０】
この撮影条件は、希望する構図を全て撮影するために必要な焦点距離を備える交換レンズへの交換の指示や、現在のデジタルカメラ１と被写体との距離を測定し、ユーザが現在位置からどの程度（被写体に対して）移動をすればいいかの指示である。
【００６１】
ユーザは、ＬＣＤ４２に表示された撮影条件に従い、指示された交換レンズへの交換や撮影場所の移動等を行い、希望する構図での撮影を行う（Ｓ２１５）。
【００６２】
次に、ユーザが希望する構図の指示について、具体的に説明する。
【００６３】
図４は、前述の図２のステップＳ２０１で実行される、ユーザが希望する構図の指示の説明図である。
【００６４】
ユーザは、デジタルカメラ１の表示部４（光学ファインダ４１又はＬＣＤ４２）により、目標とする被写体３０１を参照している。そして、ユーザは、この被写体３０１を余すことなく撮影するための構図を希望している。
【００６５】
そこで、ユーザは、まず指示受付部５３を操作して、デジタルカメラ１の撮影方向をこの被写体３０１の上端側３０２に向け、構図の上端側である旨を指示する。その後、デジタルカメラ１の撮影方向をこの被写体３０１の下端側３０３に向け、構図の下端側である旨を指示する。
【００６６】
このとき、情報取得部３３は、前述のように、この上端側３０２と下端側３０３との情報、ＡＦ変更部３２から取得した被写体との距離の情報、及び、移動検出部３４から取得したデジタルカメラ１の撮影方向の移動に関する情報、それぞれを取得する。そして、これらの情報から、情報取得部３３は、被写体の大きさを求める。
【００６７】
次に、指示情報部７２は、情報取得部３３によって求められた被写体の大きさと、現在装着されている交換レンズ２１の画角とから、指示された構図によって撮影可能であるか否かの判断を行う。
【００６８】
図５は、希望する構図が撮影可能であるか否かの判断の説明図である。
【００６９】
この図５によると、ユーザに指示された被写体３０１に対して、現在装着されている交換レンズ２１のＷｉｄｅ側の画角３１１と、Ｔｅｌｅ側の画各３１２とが示されている。
【００７０】
これによると、現在装着されている交換レンズ２１のＷｉｄｅ側の画角３１１によっては、被写体３０１の全てを撮影することができない。そこで、指示情報部７２は、ユーザが希望する構図を撮影することができないと判定する。
【００７１】
図６は、指示情報部７２によって表示される撮影条件の一例の説明図である。
【００７２】
前述の図５に示したように、現在装着されている交換レンズ２１では、ユーザが希望する構図を撮影することができないと判定した場合は、指示情報部７２は、ＬＣＤ４２に、この図６に示すような撮影条件４００を表示する。
【００７３】
この図６に示す例では、撮影条件４００として、現在装着されている交換レンズ２１によって撮影可能な画角と、ユーザが希望する構図との差異を示す画像データ４０１が示されている。
【００７４】
この画像データ４０１によると、現在装着されている交換レンズ２１によって撮影可能な画角の範囲のみの被写体像が表示され、撮影することができない部分は網掛けによって表示される。
【００７５】
また、撮影条件４００は、被写体のサイズ４０２を示している。そして、この被写体を撮影するために、現在のデジタルカメラ１と被写体との距離から、ユーザが現在位置からどの程度（被写体に対して）移動をすれば必要な画角を満たすかという情報４０３も示される。また、現在位置からこの被写体を撮影するために推奨されるレンズの画角（又は焦点距離）を示す情報４０４も示される。
【００７６】
この表示により、ユーザは、現在のデジタルカメラ１の構成（装着されている交換レンズ２１）での撮影可能な範囲を知ることができるとともに、希望する構図での撮影のために必要な撮影条件を知ることができる。
【００７７】
以上のように、本発明の第１の実施形態では、ユーザが希望する構図をデジタルカメラに指示することによって、目標とする被写体の撮影が、ユーザが希望する構図で撮影できるかどうかを容易に確認することができる。また、現在のデジタルカメラ１の構成や撮影場所では希望する構図を撮影ができない場合は、希望する構図を撮影するための条件（交換レンズ２１、被写体との距離）も確認することができる。
【００７８】
（第２実施形態）
次に、第２の実施形態について説明する。
【００７９】
前述の第１の実施形態では、ユーザが希望する構図が、現在装着されている交換レンズ２１によって撮影可能であるか否かの情報を表示する。
【００８０】
これに対して第２の実施形態は、操作部５に、レンズ情報入力部５４を備え、ユーザによって入力されたレンズ情報に関する情報をＬＣＤ４２に表示するように構成した。
【００８１】
なお、第１の実施形態と同一の構成には同一の符号を付し、その説明は省略する。
【００８２】
図７は、第２の実施形態の操作部５の説明図である。
【００８３】
操作部５は、ズーム操作部５１、撮影操作部５２及び指示受付部５３に加え、レンズ情報入力部５４を備える。
【００８４】
このレンズ情報入力部５４は、ユーザの操作によって、交換レンズ２１のレンズ情報（例えば、焦点距離、ズーム範囲等）を入力する。このレンズ情報は、記憶部６１に記憶される。
【００８５】
なお、レンズ情報は、これに限られることなく、メーカの型番やレンズの性能を示す情報でもよい。また、交換レンズ２１のズーム位置はどこでもよい。
【００８６】
このレンズ情報は、指示情報部７２による撮影条件の表示に用いられる。
【００８７】
すなわち、前述の第１の実施形態の図６に示したように、現在装着されている交換レンズ２１が撮影可能な範囲表示するのと同時に、ユーザが入力したレンズ情報に基づく画角を示す枠を表示する。
【００８８】
具体的には、図８に示すように、現在装着されている交換レンズ２１によって撮影可能な画角の範囲のみの被写体像に、ユーザが入力したレンズ情報に含まれる交換レンズ２１の画角の枠を表示する。
【００８９】
この図８の例では、ユーザが希望する構図に対して、この構図とほぼ同一の画角を有する広角レンズの画角の枠５０１と、この広角レンズよりも画角が小さい標準レンズの画角の枠５０２と、さらに画角が小さい望遠レンズの画角の枠５０３と、さらに画角が小さい超望遠レンズの画角の枠５０４と、が表示されている。
【００９０】
なお、現在デジタルカメラ１に装着されている交換レンズ２１の画角の枠と、他の交換レンズ２１の画角の枠との色を変えるなど、表示を異ならせてもよい。
【００９１】
この表示により、ユーザは、現在デジタルカメラ１に所持している交換レンズ２１だけでなく、他に所持している交換レンズ２１による撮影可能な範囲を知ることができる。
【００９２】
以上のように、本発明の第２の実施形態では、第１の実施の形態と同様の効果に加え、目標の被写体を希望する構図で撮影できるか否かについて、ユーザが入力した他の交換レンズ２１に関する情報をも含めて、デジタルカメラ１が表示することができる。
【００９３】
なお、前述した第１及び第２の実施形態では、表示部４のＬＣＤ４２に表示するように構成したが、このような構成に限られない。例えば、光学ファインダ４１が、その内部にＬＣＤ等の表示装置を備える、いわゆるＥＶＦ（Ｅｌｅｃｔｏｒｏｎｉｃ  Ｖｉｅｗ  Ｆｉｎｄｅｒ）として構成され、この光学ファインダ４１に表示してもよい。また、有機ＥＬやその他の表示装置によって光学ファインダ４１又はＬＣＤ４２が構成されていてもよい。
【００９４】
また、前述した第１及び第２の実施形態では、レンズ交換可能なデジタルカメラを例に説明したが、このような構成に限られない。ビデオカメラやカメラ機能付きの携帯電話でも同様に適用することができる。
【００９５】
例えば、カメラ機能付き携帯電話では、ユーザが希望する構図を撮影するために、望遠レンズや広角レンズのアタッチメントを取り付けるような指示を表示するように構成してもよい。
【符号の説明】
【００９６】
１    デジタルカメラ
２    撮像部
３    制御部
４    表示部
５    操作部
６    記憶部
７    画像処理部
２１    撮像光学系（交換レンズ）
３３    情報取得部
３４    移動検出部
４１    光学ファインダ
４２    ＬＣＤ（液晶ディスプレイ）
５２    撮影操作部
５３    指示受付部
５４    レンズ情報入力部
６１    記憶部
７１    画像合成部
７２    指示情報部
【図１】
2010268031.tif 000003
【図２】
2010268031.tif 000004
【図３】
2010268031.tif 000005
【図４】
2010268031.tif 000006
【図５】
2010268031.tif 000007
【図６】
2010268031.tif 000008
【図７】
2010268031.tif 000009
【図８】
2010268031.tif 000010